(57)【特許請求の範囲】
【請求項１】
熱交換器（１０）と、
前記熱交換器（１０）の下側に配置されるドレンパン（５０）と、
前記ドレンパン（５０）に溜まった水を外部に排出するドレンポンプ（６０）と、を備え、
前記ドレンパン（５０）は、
前記熱交換器（１０）に沿って延び、且つ当該熱交換器（１０）の下側において当該熱交換器（１０）の表面に生じた前記水を受けるドレン受け部（５２）と、
前記熱交換器（１０）に下側から当接するように立設されて前記ドレン受け部（５２）内を空気の流れにおける上流側と下流側とに仕切ることによって、前記水を前記空気の流れにおける上流側において受ける内溝部（５６）、及び前記水を前記空気の流れにおける下流側において受ける外溝部（５８）を形成する仕切り壁（５４）と、を有し、
前記外溝部（５８）の底部及び前記内溝部（５６）の底部（５６ａ）は、前記ドレンポンプ（６０）に向けて前記水が流れるように下り勾配となる傾斜をそれぞれ有し、
前記外溝部（５８）の底部における傾斜角が、前記内溝部（５６）の底部（５６ａ）における傾斜角よりも大きい空気調和装置の室内機。
【請求項２】
前記仕切り壁（５４）は、前記外溝部（５８）と前記内溝部（５６）とを連通する１又は複数の連通部（５４０）を有し、
前記連通部（５４０）の位置における外溝部（５８）の底部の高さ位置が当該連通部（５４０）の位置における内溝部（５６）の底部の高さ位置と同じ又は高くなっており、
前記連通部（５４０）は、当該室内機（２）における前記空気の吹出口（２５）の正面位置からずれた位置に配置されている請求項１に記載の空気調和装置の室内機。
【請求項３】
前記外溝部（５８）は、その長手方向において複数の区間（５８１、５８２、５８３、５８４）に仕切られ、
前記連通部（５４０）は、前記外溝部（５８）の各区間（５８１、５８２、５８３、５８４）において底部が最も低くなる下端位置（５８１Ｂ、５８２Ｂ、５８３Ｂ、５８４Ｂ）に配置されている請求項２に記載の空気調和装置の室内機。
【請求項４】
前記仕切り壁（５４）は、前記外溝部（５８）と前記内溝部（５６）とを連通する１又は複数の連通部（５４０）を有し、
前記外溝部（５８）は、その長手方向において複数の区間（５８１、５８２、５８３、５８４）に仕切られ、
前記連通部（５４０）の位置における外溝部（５８）の底部の高さ位置が当該連通部（５４０）の位置における内溝部（５６）の底部（５６ａ）の高さ位置と同じ又は高くなっており、
前記連通部（５４０）は、前記外溝部（５８）の各区間（５８１、５８２、５８３、５８４）において底部が最も低くなる下端位置（５８１Ｂ、５８２Ｂ、５８３Ｂ、５８４Ｂ）に配置されている請求項１に記載の空気調和装置の室内機。
【請求項５】
前記連通部（５４０）の位置における外溝部（５８）の底部の高さ位置が当該連通部（５４０）の位置における内溝部（５６）の底部の高さ位置よりも高くなっており、
前記外溝部（５８）の底部は、前記連通部（５４０）の位置において、前記外溝部（５８）から前記内溝部（５６）に向かって下り勾配となる傾斜を有している請求項２乃至４のいずれか１項に記載の空気調和装置の室内機。
【請求項６】
下側から吸気した空気を側方に吹き出す送風機（２７）と、
前記空気を外部に吹き出す１又は複数の吹出口（２５）と、を備え、
前記熱交換器（１０）は、平面視、略四角形となるように前記送風機（２７）を水平方向から囲むように配置され、
前記吹出口（２５）は、前記熱交換器（１０）を挟んで前記送風機（２７）と反対側において、前記略四角形の各辺（５３）と対応する位置に設けられ、
前記連通部（５４０）は、前記略四角形の角部に対応する位置に配置されている請求項２乃至５のいずれか１項に記載の空気調和装置の室内機。
【発明の詳細な説明】
【技術分野】
【０００１】
本発明は、冷媒が循環して蒸気圧縮式の冷凍サイクルを行う空気調和装置の室内機に関する。
【背景技術】
【０００２】
従来から、特許文献１に開示された空気調和装置の室内機が知られている。この室内機は、図１０及び図１１に示されるように、送風機１０２と、送風機１０２からの空気を冷却又は加熱する熱交換器１０４と、熱交換器１０４の下側に配置されるドレンパン１０６と、ドレンパン１０６に溜まった水（ドレン）を室内機１００の外部に排出するドレンポンプ１０８と、を備える。
【０００３】
ドレンパン１０６は、空気中の水分が凝縮することによって熱交換器１０４の表面に生じた水を当該熱交換器１０４の下側で受けるドレン受け部１０７を有する。このドレン受け部１０７は、熱交換器１０４の下側において、送風機１０２による空気の流れ方向ｗにおける熱交換器１０４の上流側（一次側）と、前記空気の流れ方向ｗにおける下流側（二次側）とに跨るように形成されている。そして、ドレン受け部１０７の底面１０７Ａは、ドレンポンプ１０８に向けて下り勾配となっている（図１１参照）。これにより、ドレン受け部１０７が受けた水（熱交換器１０４の表面において生じた水）がドレンポンプ１０８に集まる。そして、ドレンポンプ１０８がこの集まった水（ドレン）を排水することによって、ドレンがドレンパン１０６から効率よく排水される。
【先行技術文献】
【特許文献】
【０００４】
【特許文献１】特開２００７−２５５７３９号公報
【発明の概要】
【発明が解決しようとする課題】
【０００５】
上記の室内機１００では、運転時に、送風機１０２からの送風ｗによって、室内機１００内部において一次側の圧力が二次側の圧力よりも高くなるため、ドレン受け部１０７内のドレンの水位（水面）は、一次側よりも二次側の方が高くなる（図１０参照）。
【０００６】
このように二次側の水位が高くなると、前記吹き出される空気ｗによって前記二次側のドレンが波立ち、その一部が室内機１００の吹出口１０９から外部に飛散することが懸念される。
【０００７】
そこで、本発明は、上記問題に鑑み、吹き出される空気によってドレンパンから水が外部に飛散し難い空気調和装置の室内機を提供することを課題とする。
【課題を解決するための手段】
【０００８】
そこで、上記課題を解消すべく、本発明は、空気調和装置（１）の室内機（２）であって、熱交換器（１０）と、前記熱交換器（１０）の下側に配置されるドレンパン（５０）と、前記ドレンパン（５０）に溜まった水を外部に排出するドレンポンプ（６０）と、を備える。そして、前記ドレンパン（５０）は、前記熱交換器（１０）に沿って延び、且つ当該熱交換器（１０）の下側において当該熱交換器（１０）の表面に生じた前記水を受けるドレン受け部（５２）と、前記熱交換器（１０）に下側から当接するように立設されて前記ドレン受け部（５２）内を空気の流れにおける上流側と下流側とに仕切ることによって、前記水を前記空気の流れにおける上流側において受ける内溝部（５６）、及び前記水を前記空気の流れにおける下流側において受ける外溝部（５８）を形成する仕切り壁（５４）と、を有し、前記外溝部（５８）の底部及び前記内溝部（５６）の底部（５６ａ）は、前記ドレンポンプ（６０）に向けて前記水が流れるように下り勾配となる傾斜をそれぞれ有し、前記外溝部（５８）の底部における平均傾斜角が、前記内溝部（５６）の底部（５６ａ）における傾斜角よりも大きい。
【０００９】
本発明によれば、仕切り壁（５４）を設けて、熱交換器（１０）の一次側（室内機（２）から吹き出される空気の流れにおける上流側）と二次側（前記空気の流れにおける下流側）との圧力差によってドレン受け部（５２）のドレン（熱交換器（１０）からの水）が二次側に移動（即ち、内溝部（５６）から外溝部（５８）に移動）するのを阻止することにより、ドレン受け部（５２）において二次側（外溝部（５８））の水位が上昇するのを確実に防ぎつつ、外溝部（５８）の底部を内溝部（５６）の底部（５６ａ）よりも急勾配にして外溝部（５８）が受けた水（ドレン）を速やかにドレンポンプ（６０）側に流すことにより、二次側（外溝部（５８））にドレンが居る時間を短くしてこのドレンが室内機（２）の外部に飛散するのを効果的に防ぐことができる。
【００１０】
本発明に係る空気調和装置（１）の室内機（２）においては、前記仕切り壁（５４）は、前記外溝部（５８）と前記内溝部（５６）とを連通する１又は複数の連通部（５４０）を有し、前記連通部（５４０）の位置における外溝部（５８）の底部の高さ位置が当該連通部（５４０）の位置における内溝部（５６）の底部（５６ａ）の高さ位置と同じ又は高くなっており、前記連通部（５４０）は、当該室内機（２）における前記空気の吹出口（２５）の正面位置からずれた位置に配置されていてもよい。
【００１１】
かかる構成によれば、外溝部（５８）を流れるドレンがドレンポンプ（６０）に向かう途中で連通部（５４０）を通じて内溝部（５６）に流れ込むことができるため、ドレンが外溝部（５８）に居る時間がより短くなり、その結果、外溝部（５８）のドレンが室内機（２）の外部に飛散することをより確実に防ぐことができる。具体的には、連通部（５４０）の設けられた位置において外溝部（５８）の底部の高さ位置が内溝部（５６）の底部（５６ａ）の高さ位置と同じ又は高くなっているため、外溝部（５８）を流れるドレンが連通部（５４０）の位置に流れ着いたときに当該外溝部（５８）から連通部（５４０）を通じて内溝部（５６）に流れ込むことができる。これにより、ドレンが外溝部（５８）を流れる距離が短くなって外溝部（５８）に居る時間がより短くなる。
【００１２】
しかも、連通部（５４０）が、室内機（２）の吹出口（２５）の正面位置からずれた位置に設けられるので、前記正面位置に設けられた場合に比べて連通部（５４０）を通った空気が吹出口（２５）から吹き出されるまでの圧損が上がることから当該連通部（５４０）を通って一次側から二次側に吹き出す空気の流量が抑えられる。このため、この空気の流れによる外溝部（５８）や連通部（５４０）におけるドレンの室内機（２）の外部への飛散が抑えられる。
【００１３】
上記構成の場合、前記外溝部（５８）は、その長手方向において複数の区間（５８１、５８２、５８３、５８４）に仕切られ、前記連通部（５４０）は、前記外溝部（５８）の各区間（５８１、５８２、５８３、５８４）において底部が最も低くなる下端位置（５８１Ｂ、５８２Ｂ、５８３Ｂ、５８４Ｂ）に配置されていることが好ましい。
【００１４】
このように、ドレンが外溝部（５８）を流れることができる距離を短くしてドレンが外溝部（５８）に居る時間をより短くすることによって、外溝部（５８）から室内機（２）の外部に飛散することをより確実に防ぐことができる。
【００１５】
しかも、外溝部（５８）を複数の区間（５８１、５８２、５８３、５８４）に仕切ることによって、隣接する区間の終端と始端との間に高低差を設けた鋸歯状の配置とすることができ、これにより、外溝部（５８）（各区間（５８１、５８２、５８３、５８４））の底部の傾斜を急勾配としつつドレンパン（５０）の厚みを抑えることもできる。
【００１６】
また、各区間（５８１、５８２、５８３、５８４）における下端位置（５８１Ｂ、５８２Ｂ、５８３Ｂ、５８４Ｂ）に連通部（５４０）が設けられることにより、各区間（５８１、５８２、５８３、５８４）を流れたドレンがこの連通部（５４０）を通って全て内溝部（５６）に流れ込むため、外溝部（５８）にドレンが長時間滞留することを防止することができる。
【００１７】
また、前記仕切り壁（５４）は、前記外溝部（５８）と前記内溝部（５６）とを連通する１又は複数の連通部（５４０）を有し、前記外溝部（５８）は、その長手方向において複数の区間（５８１、５８２、５８３、５８４）に仕切られ、前記連通部（５４０）の位置における外溝部（５８）の底部の高さ位置が当該連通部（５４０）の位置における内溝部（５６）の底部（５６ａ）の高さ位置と同じ又は高くなっており、前記連通部（５４０）は、前記外溝部（５８）の各区間（５８１、５８２、５８３、５８４）において底部が最も低くなる下端位置（５８１Ｂ、５８２Ｂ、５８３Ｂ、５８４Ｂ）に配置されていてもよい。
【００１８】
かかる構成によれば、ドレンが外溝部（５８）を流れることができる距離を短くして外溝部（５８）に居る時間をより短くすることができ、これにより、ドレンが外溝部（５８）から室内機（２）の外部に飛散することをより確実に防ぐことができる。
【００１９】
しかも、外溝部（５８）を複数の区間（５８１、５８２、５８３、５８４）に仕切ることによって、隣接する区間の終端と始端との間に高低差を設けた鋸歯状の配置とすることができ、これにより、外溝部（５８）（各区間（５８１、５８２、５８３、５８４））の底部の傾斜を急勾配としつつドレンパン（５０）の厚みを抑えることもできる。
【００２０】
また、各区間（５８１、５８２、５８３、５８４）における下端位置（５８１Ｂ、５８２Ｂ、５８３Ｂ、５８４Ｂ）に連通部（５４０）が設けられることにより、各区間（５８１、５８２、５８３、５８４）を流れたドレンが連通部（５４０）を通って内溝部（５６）に全て流れ込むため、外溝部（５８）にドレンが長時間滞留することを防止することができる。
【００２１】
仕切り壁（５４）に連通部（５４０）が設けられる場合、前記連通部（５４０）の位置における外溝部（５８）の底部の高さ位置が当該連通部（５４０）の位置における内溝部（５６）の底部の高さ位置よりも高くなっており、前記外溝部（５８）の底部は、前記連通部（５４０）の位置において、前記外溝部（５８）から前記内溝部（５６）に向かって下り勾配となる傾斜を有していることが好ましい。
【００２２】
かかる構成によれば、外溝部（５８）（各区間（５８１、５８２、５８３、５８４））を流れたドレンが連通部（５４０）を通じて内溝部（５６）により確実に流れ込む。
【００２３】
例えば具体的に、当該室内機（２）は、下側から吸気した空気を側方に吹き出す送風機（２７）と、前記空気を外部に吹き出す１又は複数の吹出口（２５）と、を備え、前記熱交換器（１０）は、平面視、略四角形となるように前記送風機（２７）を水平方向から囲むように配置され、前記吹出口（２５）は、前記熱交換器（１０）を挟んで前記送風機（２７）と反対側において、前記略四角形の各辺（５３）と対応する位置に設けられ、前記連通部（５４０）は、前記略四角形の角部に対応する位置に配置されている。
【発明の効果】
【００２４】
以上より、本発明によれば、吹き出される空気によってドレンパンから水が外部に飛散し難い空気調和装置の室内機を提供することができる。
【図面の簡単な説明】
【００２５】
【図１】本実施形態に係る空気調和装置の概略構成図である。
【図２】前記空気調和装置における室内機の斜視図である。
【図３】前記室内機の縦断面図である。
【図４】前記室内機における熱交換器とドレンパンとの配置状態を示す平面図である。
【図５】前記ドレンパンの平面図である。
【図６】前記ドレンパンの内溝部と外溝部と連通部との範囲を示す図である。
【図７】図５のＶＩＩ−ＶＩＩ位置の断面図である。
【図８】図５のＶＩＩＩ−ＶＩＩＩ位置の拡大端面図である。
【図９】ドレンパン上に熱交換器が配置された状態の一部拡大斜視図である。
【図１０】従来の空気調和装置の室内機の幅方向の縦断面図である。
【図１１】従来の空気調和装置の室内機の長さ方向（幅方向と直交する方向）の縦断面図である。
【発明を実施するための形態】
【００２６】
以下、本発明の一実施形態について、添付図面を参照しつつ説明する。
【００２７】
本実施形態に係る室内機（以下、単に「室内機」と称する。）は、図１に示されるように、配管４、４によって室外機３と接続されることにより空気調和装置１を構成する。この空気調和装置１は冷媒回路を有し、この冷媒回路は、室内側熱交換器１０と、圧縮機１２と、室外側熱交換器１３と、膨張弁１４と、四路切換弁１５とを主な構成要素としている。この空気調和装置１では、四路切換弁１５が切り換えられることにより、冷媒回路における冷媒の循環方向が切り換えられ、これにより、冷房運転と暖房運転との切り換えが行われる。
【００２８】
室内機２は、天井吊り下げ型（いわゆる天吊りタイプ）であり、図２及び図３にも示されるように、天井から延びる吊り下げボルト等の吊り下げ部材によって天井に吊り下げられるケーシング２１と、ケーシング２１の下部に取り付けられる化粧板２２と、を備える。ケーシング２１は、略正方形の天板２３と、この天板２３の周縁から略下方に向かって延びる側壁２４とを有する。天板２３の各辺に対応する側壁２４の部位において、水平方向の略中央部に吹出口２５がそれぞれ設けられている。この吹出口２５には、吹出口２５から吹き出される温調後の風の吹き出し方向を変えるための風向板２５Ａが設けられている。この風向板２５Ａは、水平方向に長尺な矩形状の板状部材であり、水平方向の両端部に図略のスイングモータが接続され、当該スイングモータの駆動により揺動若しくは回動する。また、化粧板２２は、その中央部に矩形状の吸込みグリル２６を有する。
【００２９】
また、室内機２は、ケーシング２１内に、送風機２７、ベルマウス２８、エアフィルタ２９、室内側熱交換器１０、ドレンパン５０、ドレンポンプ６０等を有する。
【００３０】
送風機２７は、羽根車３１と、ファンモータ３２とを有する遠心送風機（ターボファン）であり、化粧板２２の吸込みグリル２６に対応する位置に送風機２７の吸込口３３が臨むように配置されている。この送風機２７は、下側の吸込口３３から吸気した空気（室内空気等）を側方（室内側熱交換器１０に向けて）に吹き出す。送風機２７の吸込口３３と吸込みグリル２６との間には、ベルマウス２８が配置されている。
【００３１】
エアフィルタ２９は、ベルマウス２８の入口を覆う大きさを有し、ベルマウス２８と吸込みグリル２６との間において吸込みグリル２６に沿うように配置されている。
【００３２】
室内側熱交換器１０は、薄板状の複数のフィン３４、３４、…と、各フィン３４に形成された貫通孔に挿通された複数の伝熱管３５、３５、…とを有する所謂クロスフィン型の熱交換器である。この室内側熱交換器１０は、水平方向から送風機２７（羽根車３１）の周囲を囲むように配置されている。この室内側熱交換器１０は、伝熱管３５の管壁及びフィン３４を介して各伝熱管３５内を流れる冷媒と送風機２７から送風される室内空気（外気）との熱交換を行う。
【００３３】
ドレンパン５０は、室内側熱交換器１０において生じる水滴を受け止めて室内へ落下するのを防ぐための部材であり、室内側熱交換器１０の下側において当該室内側熱交換器１０に沿うように配置されている（図４参照）。
【００３４】
具体的に、ドレンパン５０は、図５乃至図９に示されるように、平面視において中央部が開口した（即ち、送風機２７の吸込口３３と対応した開口５１を有する）略四角形状であり、ドレン受け部５２と、仕切り壁５４と、を有する。
【００３５】
ドレン受け部５２は、室内側熱交換器１０に沿って延びる溝（凹部）によって形成されており、空気中の水分が凝縮することによって室内側熱交換器１０の表面に生じた水を当該熱交換器１０の下側において受ける。このドレン受け部５２の下流側の端部（終端：図５及び図６における左側の辺の上端近傍）には、ドレンポンプ６０が配置されている。
【００３６】
仕切り壁５４は、室内側熱交換器１０に下側から当接するようにドレン受け部５２の両側壁（図７における左右の側壁）間に立設されてドレン受け部（溝）５２内の空間を一次側と二次側とに仕切ることにより、内溝部５６と外溝部５８とを形成する。即ち、仕切り壁５４は、内溝部５６における外溝部５８側の壁面と、外溝部５８における内溝部５６側の壁面とによって規定される壁である。ここで、一次側とは、送風機２７から吹き出された空気の流れＷ（図３参照）における室内側熱交換器１０よりも上流側であり、二次側とは、前記空気の流れＷにおける室内側熱交換器１０よりも下流側のことである。
【００３７】
内溝部５６は、室内側熱交換器１０に沿って延び且つ前記室内側熱交換器１０の表面に生じた水を一次側において受ける溝である。具体的に、内溝部５６は、平面視において略四角形のドレンパン５０の各辺に沿うと共に開口５１を囲うように延びている。図５及び図６の例では、内溝部５６は、ドレンパン５０における上側の辺の左端近傍を始点にして時計回りにドレンパン５０の各辺に沿って延び、その終点（左側の辺の上端近傍）において外溝部５８に連通することによりドレンポンプ６０と通じている。この内溝部５６の底部５６ａは、前記始点からドレンポンプ６０に向かって一定の下り勾配となるように傾斜している。即ち、内溝部５６の長手方向の各位置において室内側熱交換器１０から滴下してきた水（ドレン）は、内溝部５６内をドレンポンプ６０に向かって流れる。
【００３８】
外溝部５８は、室内側熱交換器１０に沿って延び且つ前記室内側熱交換器１０の表面に生じた水を二次側において受ける溝である。この外溝部５８の底部は、内溝部５６と同様に、ドレンポンプ６０に向けてドレンが流れるように下り勾配となるように傾斜している。そして、外溝部５８の底部の傾斜角は、内溝部５６の底部５６ａの傾斜角よりも大きい。
【００３９】
具体的に、外溝部５８は、内溝部５６の外側（ドレンパン５０の開口５１と反対側）において当該内溝部５６に沿って延びる。即ち、外溝部５８は、内溝部５６の外側において、平面視において略四角形のドレンパン５０の各辺に沿うと共に開口５１を囲うように延びている。
【００４０】
この外溝部５８は、その長手方向（内溝部５６の水の流れ方向）において、複数の区間（本実施形態の外溝部５８は、第１区間５８１、第２区間５８２、第３区間５８３、第４区間５８４の４つの区間）に仕切られている。具体的には、外溝部５８は、ドレンパン５０の角部の位置において仕切られている。本実施形態の外溝部５８においては、図５及び図６に示すドレンパン５０の上側の辺に沿った区間を第１区間５８１とし、右側の辺に沿った区間を第２区間５８２とし、下側の辺に沿った区間を第３区間５８３とし、左側の辺に沿った区間を第４区間５８４とする。
【００４１】
各区間５８１〜５８４の底部は、内溝部５６におけるドレンの流れ方向に沿うように下り勾配となっている。即ち、第１区間５８１の底部は、図６における左端（始端）５８１Ａが最も高く、右端（終端）５８１Ｂが最も低くなるように傾斜している。第２区間５８２の底部は、図６における上端（始端）５８２Ａが最も高く、下端（終端）５８２Ｂが最も低くなるように傾斜している。第３区間５８３の底部は、図６における右端（始端）５８３Ａが最も高く、左端（終端）５８３Ｂが最も低くなるように傾斜している。第４区間５８４の底部は、図６における下端（始端）５８４Ａが最も高く、上端（終端）５８４Ｂ（詳しくは、ドレンポンプ６０が配置されている位置）が最も低くなるように傾斜している。これら、各区間５８１〜５８４における始端５８１Ａ〜５８４Ａの底部の高さ位置はそれぞれ同じであり、各区間５８１〜５８４における終端５８１Ｂ〜５８４Ｂの底部の高さ位置はそれぞれ同じである。即ち、隣接する区間（例えば、第２区間５８２と第３区間５８３）において、一方（例えば第２区間５８２）の終端（例えば５８２Ｂ）における底部の高さ位置と、他方（例えば第３区間５８３）の始端（例えば５８３Ａ）における底部の高さ位置との間には高低差が設けられている。
【００４２】
本実施形態のドレンパン５０では、隣接する区間の間には、室内側熱交換器１０の側部を当接させることによりドレンパン５０に対する当該室内側熱交換器１０の水平方向の位置決めを行う位置決め部５９が形成されている。位置決め部５９は、隣接する区間（例えば、第２区間５８２と第３区間５８３と）の間において上流側の区間の終端（第２区間５８２の終端５８２Ｂ）の底部位置から上方に向かって突出し、外溝部５８を各区間５８１〜５８４に分断するように形成されている。この位置決め部５９を利用して、一方の区間（例えば、第２区間５８２）の終端（例えば５８２Ｂ）とこれに隣接する他方の区間（例えば、第３区間５８３）の始端（例えば５８３Ａ）との底部における高低差を形成している。尚、第１〜第３区間５８１〜５８３における終端５８１Ｂ〜５８３Ｂの底部の高さ位置が、内溝部５６における当該終端５８１Ｂ〜５８３Ｂに対応する部位（後述する連通部５４０によって連通する部位）の底部の高さ位置と同じ又は高くなるように、第１〜第３区間５８１〜５８３における始端５８１Ａ〜５８３Ａの高さ位置が設定されている。
【００４３】
また、各区間５８１〜５８４の底部の傾斜角は、長手方向の中間部で変化している、即ち、始端５８１Ａ〜５８４Ａ側と終端５８１Ｂ〜５８４Ｂ側とで異なる。詳しくは、各区間５８１〜５８４の底部の傾斜角は、長手方向中央から終端５８１Ｂ〜５８４Ｂまでは内溝部５６の底部５６ａの傾斜角と同じであり、始端５８１Ａ〜５８４Ａから長手方向中央までは内溝部５６の底部５６ａの傾斜角より大きい。このため、各区間５８１〜５８４の底部の平均傾斜角は、内溝部５６の底部５６ａの傾斜角よりも大きくなっている。このように、長手方向中央よりも始端５８１Ａ〜５８４Ａ側の傾斜角を大きくすることによって、前記始端５８１Ａ〜５８４Ａ側で受けたドレンを終端５８１Ｂ〜５８４Ｂに向けて勢いよく流し、この流れによって、長手方向中央よりも終端５８１Ｂ〜５８４Ｂ側のドレンを終端５８１Ｂ〜５８４Ｂまで押し流すようにしている。
【００４４】
このような外溝部５８において、底部の傾斜角は、外溝部５８全体における始端５８１Ａと終端５８４Ｂとの間の平均傾斜角であり、この平均傾斜角が内溝部５６の底部５６ａの傾斜角よりも大きい。尚、内溝部５６の底部５６ａの傾斜角も、内溝部５６の始端５６Ａと終端５６Ｂとの間の平均傾斜角であってもよい。
【００４５】
以上のように、外溝部５８を長手方向（内溝部５６の水の流れ方向）に区分けし且つ隣接する区間の終端（例えば、第２区間５８２の終端５８２Ｂ）と始端（例えば、第３区間５８３の始端５８３Ａ）との間に高低差を設けた鋸歯状の配置とすることによって、外溝部５８（各区間５８１〜５８４）の底部の傾斜を急勾配としつつドレンパン５０の厚みを抑えることができる。
【００４６】
仕切り壁５４における各区間５８１〜５８４の終端５８１Ｂ〜５８４Ｂと対応する位置には、外溝部５８と内溝部５６とを連通する連通部５４０がそれぞれ設けられている。この連通部５４０は、外溝部５８から内溝部５６に、又は内溝部５６から外溝部５８にドレンが流れ込む部位である。連通部５４０は、仕切り壁５４を横断するように設けられた溝（図８参照）である。尚、連通部５４０は、溝に限定されず、外溝部５８と内溝部５６とを連通する貫通孔等であってもよい。
【００４７】
本実施形態では、第１〜第３区間５８１〜５８３の終端５８１Ｂ〜５８３Ｂがドレンパン５０の角部（室内機２のケーシング２１の角部、即ち、吹出口２５の正面位置からずれた位置）に形成されているため、これら終端５８１Ｂ〜５８３Ｂと対応する位置に設けられる連通部５４０もそれぞれドレンパン５０の角部に設けられる。尚、ドレンパン５０の周縁部における各直線部５３は、室内機２の各吹出口２５の下端を規定する部位である（図３参照）。
【００４８】
第１〜第３区間５８１〜５８３の終端５８１Ｂ〜５８３Ｂでは、外溝部５８の底部と連通部５４０の底部とが一体となって内溝部５６に向かう下り勾配の傾斜面を構成する。これにより、第１〜第３区間５８１〜５８３において始端５８１Ａ〜５８３Ａ側から流れてきたドレンが終端５８１Ｂ〜５８３Ｂに長時間滞留することなく内溝部５６により確実に流れ込む。
【００４９】
第４区間５８４の終端５８４Ｂには、ドレンポンプ６０が配置されている。そして、内溝部５６の終端５６Ｂと第４区間５８４の終端５８４Ｂとを連通する連通部５４０（図９参照）を通じて、内溝部５６を流れてきたドレン（第１〜第３区間５８１〜５８３を流れて内溝部５６に流れ込んだドレンを含む）が第４区間５８４の終端５８４Ｂに流れ込む。
【００５０】
ドレンポンプ６０は、ポンプ本体６１と、水位センサ６２とを有する。このドレンポンプ６０は、水位センサ６２によって第４区間５８４の終端５８４Ｂ（外溝部５８の終端）に溜まったドレンが所定の水位になったことを検出すると、ポンプ本体６１が駆動してこのドレンを室内機２の外部に排出する。
【００５１】
以上の室内機２によれば、ドレンパン５０に仕切り壁５４を設けて、室内側熱交換器１０の一次側と二次側との圧力差によってドレン受け部５２のドレンが一次側に移動（即ち、内溝部５６から外溝部５８に移動）するのを阻止することにより、ドレン受け部５２において二次側（外溝部５８）の水位が上昇するのを確実に防ぎつつ、外溝部５８の底部を内溝部５６の底部よりも急勾配にして外溝部５８が受けたドレンを速やかにドレンポンプ６０側に流すことにより、二次側（外溝部５８）にドレンが居る時間を短くしてこのドレンが室内機２の外部に飛散するのを効果的に防ぐことができる。
【００５２】
また、本実施形態の室内機２では、外溝部５８を流れるドレンがドレンポンプ６０に向かう途中で連通部５４０を通じて内溝部５６に流れ込むことができるため、ドレンが外溝部５８に居る時間がより短くなり、その結果、外溝部５８のドレンが室内機２の外部に飛散することをより確実に防ぐことができる。具体的には、連通部５４０の設けられた位置において外溝部５８の底部の高さ位置が内溝部５６の底部の高さ位置と同じ又は高くなっているため、外溝部５８を流れるドレンが連通部５４０の位置に流れ着いたときに当該外溝部５８から連通部５４０を通じて内溝部５６に流れ込むことができる。これにより、ドレンが外溝部５８を流れる距離が短くなって外溝部５８に居る時間がより短くなる。
【００５３】
しかも、連通部５４０が、室内機２の吹出口２５の正面位置からずれた位置に設けられることによって、前記正面位置に設けられた場合に比べて連通部５４０を通った空気が吹出口２５から吹き出され難いことから当該連通部５４０を通って一次側から二次側に吹き出す空気の流量が抑えられる。このため、この空気の流れによる外溝部５８や連通部５４０のドレンの室内機２の外部への飛散が抑えられる。
【００５４】
また、本実施形態の室内機２では、外溝部５８を複数の区間５８１〜５８４に仕切ってドレンが外溝部５８を流れることができる距離を短くしてドレンが外溝部５８に居る時間をより短くすることによって、外溝部５８から室内機２の外部に飛散することをより確実に防ぐことができる。
【００５５】
しかも、外溝部５８を複数の区間５８１〜５８４に仕切ることによって、隣接する区間の終端（例えば、第２区間５８２の終端５８２Ｂ）と始端（例えば、第３区間５８３の始端５８３Ａ）との間に高低差を設けた鋸歯状の配置とすることができ、これにより、外溝部５８（各区間５８１〜５８２）の底部の傾斜を急勾配としつつドレンパン５０の厚みを抑えることもできる。
【００５６】
また、第１〜第３区間５８１〜５８３における下端位置（終端５８１Ｂ〜５８３Ｂ）に連通部５４０がそれぞれ設けられることにより、各区間５８１〜５８３を流れたドレンが連通部５４０を通って内溝部５６に全て流れ込むため、外溝部５８にドレンが長時間滞留することを防止することができる。
【００５７】
尚、本発明の空気調和装置の室内機は、上記実施形態に限定されるものではなく、本発明の要旨を逸脱しない範囲内において種々変更を加え得ることは勿論である。
【００５８】
上記実施形態の室外機２では、連通部５４０が水平方向における開口２５の正面位置とずれた位置（室内機２の角部）に配置されているが、この位置に限定されない。例えば、連通部５４０は、水平方向における開口２５の正面位置に設けられてもよい。この場合、連通部５４０は、開口２５よりも下方位置に設けられれば、連通部５４０を通って一次側から二次側に流れる空気の流量を抑え、この空気の流れによるドレンの外部への飛散を抑えることができる。
【００５９】
また、上記実施形態の室外機２では、連通部５４０は、外溝部５８（各区間５８１〜５８４）の底部の最も低くなった位置５８１Ｂ〜５８４Ｂにのみ設けられているが、前記最も低くなった位置に加えて高さ方向における中間位置に設けられてもよい。このような位置に設けられても、外溝部５８を流れるドレンが連通部５４０を通じて内溝部５６に流れ込むことができ、外溝部５８においてドレンが流れる距離を短くすることが可能である。
【００６０】
また、上記実施形態の室外機２では、各区間５８１〜５８４の底部の傾斜角が長さ方向の途中で変化しているが、これに限定されず、始端５８１Ａ〜５８４Ａから終端５８１Ｂ〜５８４Ｂまで傾斜角が一定であってもよい。
【００６１】
上記実施形態の室外機２では、連通部が４つ（複数）設けられているが、外溝部５８が仕切られて（区切られ）ておらず、内溝部５６又は外溝部５８の最も下流端（終端）に１つ、即ち、ドレンポンプ６０の配置位置近傍でのみ内溝部５６と外溝部５８とが連通していてもよい。
【００６２】
また、連通部５４０が設けられなくてもよい。この場合、ドレンポンプ６０が内溝部５６の終端と外溝部５８の終端とにそれぞれ設けられる。
【００６３】
また、上記実施形態の室内機２は、天井吊り下げ型であるが、天井埋め込み型（いわゆるカセット型）の室内機であってもよい。即ち、上記実施形態では、側面に吹出口２５が形成された室内機２であるが、底面に吹出口が形成された室内機であってもよい。
【００６４】
天井埋め込み型の室内機であっても、ドレン受け部５２に仕切り壁５４を設けて内溝部５６と外溝部５８とを形成し、外溝部５８の底部の傾斜角を内溝部５６の底部の傾斜角よりも大きくすることにより、ドレン受け部５２において二次側（外溝部５８）の水位が上昇するのを確実に防ぎつつ、外溝部５８が受けたドレンを速やかにドレンポンプ６０側に流すことにより、二次側（外溝部５８）にドレンが居る時間を短くしてこのドレンが室内機の外部に飛散するのを防ぐことができる。
【００６５】
また、上記実施形態では、四方向に風を吹き出す室内機２であるが、これに限定されず、２方向に風を吹き出す室内機であってもよく、１方向に風を吹き出す室内機であってもよい。
【００６６】
また、上記実施形態の室内機２は、冷房運転及び暖房運転の両方を行う空気調和装置１に用いられるが、冷房専用の空気調和装置に用いられる室内機であってもよく、暖房専用の空気調和装置に用いられる室内機であってもよい。
【符号の説明】
【００６７】
１     空気調和装置
２     室内機
１０   室内側熱交換器（熱交換器）
２５   吹出口
２７   送風機
３３   吸込口
５０   ドレンパン
５２   ドレン受け部
５４   仕切り壁
５４０ 連通部
５６   内溝部
５６ａ 内溝部の底部
５８   外溝部
５８１ 第１区間
５８２ 第２区間
５８３ 第３区間
５８４ 第４区間
６０   ドレンポンプ
【図１】
0005382153.tif 000002
【図２】
0005382153.tif 000003
【図３】
0005382153.tif 000004
【図４】
0005382153.tif 000005
【図５】
0005382153.tif 000006
【図６】
0005382153.tif 000007
【図７】
0005382153.tif 000008
【図８】
0005382153.tif 000009
【図９】
0005382153.tif 000010
【図１０】
0005382153.tif 000011
【図１１】
0005382153.tif 000012